(57)【特許請求の範囲】
【請求項１】
主情報が記録される主情報領域と、前記主情報領域に対応する目次情報が記録される目次情報領域と、主情報の再生に関する再生アクセス情報を記録する再生アクセス情報領域とを有する記録再生可能な情報記録媒体を記録再生する情報記録媒体記録再生装置において、
前記情報記録媒体の前記目次情報領域から主情報に対応する目次情報を再生する目次情報再生手段と、
再生された前記目次情報から主情報を選択する主情報選択手段と、
選択された主情報が再生された日の日付情報を含む再生アクセス情報を前記情報記録媒体の前記再生アクセス情報領域から読み出す読み出し手段と、
読み出した結果既に再生アクセス情報が存在する場合には、前記再生アクセス情報に加えて、新たに選択された主情報が再生された日付情報を含む再生アクセス情報を追加記録する記録手段とを有することを特徴とする情報記録媒体記録再生装置。
【請求項２】
主情報が記録される主情報領域と、主情報の再生に関する再生アクセス情報を記録する再生アクセス情報領域とを有する記録再生可能な情報記録媒体を記録再生する情報記録媒体記録再生方法において、
前記情報記録媒体の前記目次情報領域から主情報に対応する目次情報を再生するステップと、
再生された前記目次情報から主情報を選択するステップと、
選択された主情報が再生された日の日付情報を含む再生アクセス情報を前記情報記録媒体の前記再生アクセス情報領域から読み出すステップと、
読み出した結果既に再生アクセス情報が存在する場合には、前記再生アクセス情報に加えて、新たに選択された主情報が再生された日付情報を含む再生アクセス情報を追加記録するステップとを有することを特徴とする情報記録媒体記録再生方法。
【請求項３】
前記再生アクセス情報を前記情報記録媒体の前記再生アクセス情報領域から読み出す再生アクセス情報読み出し手段と、
読み出した再生アクセス情報を表示する再生アクセス情報表示手段とを有することを特徴とする請求項１に記載の情報記録媒体記録再生装置。
【請求項４】
前記再生アクセス情報を前記情報記録媒体の前記再生アクセス情報領域から読み出すステップと、
読み出した再生アクセス情報を表示するステップとを有することを特徴とする請求項２に記載の情報記録媒体記録再生方法。
【発明の詳細な説明】
【０００１】
【発明の属する技術分野】
本発明は、情報記録媒体記録再生装置及び情報記録媒体記録再生方法に関し、特に記録可能なディスク媒体等の情報記録媒体を再生してその内容を出力する際のアクセス情報の管理に関する。
【０００２】
【従来の技術】
例えば、ＣＤ，ＭＤ，ＬＤなどをレンタルショップで貸し出すような場合、通常その料金は１日いくらというような具合で決められている。
【０００３】
【発明が解決しようとする課題】
しかし、情報利用の公平を図るという観点からすると、アクセス回数に応じた料金体系が好ましい。また、将来は、それらの媒体に、音楽，映画，絵画，小説，ゲームソフトなど各種のメニューが混在するようになり、それらの情報のコピーやプリントアウトというようなことが行われるようになると考えられる。すると、アクセス回数のみならず情報内容に応じた料金体系も必要となる。
更に、図書館などでそれらの媒体を貸し出すような場合に、アクセス状況を把握しておくと、貸出管理や利用状況調査などに非常に好都合である。また、電子ブックなどでアクセス状況を記録しておくと、読書記録とすることができるなどの利点がある。本発明は、これらの点に着目したもので、レンタル料金や電子図書の貸出・返却などの各種の管理をアクセス状況に応じて簡便に行うことができる情報記録媒体記録再生装置及び情報記録媒体記録再生方法を提供することを目的とする。
【０００４】
【課題を解決するための手段】
上述の問題点を解決するために本発明は、下記（１）〜（４）の構成を有する情報記録媒体記録再生装置及び情報記録媒体記録再生方法を提供する。
（１）  主情報が記録される主情報領域と、前記主情報領域に対応する目次情報が記録される目次情報領域と、主情報の再生に関する再生アクセス情報を記録する再生アクセス情報領域とを有する記録再生可能な情報記録媒体を記録再生する情報記録媒体記録再生装置において、
前記情報記録媒体の前記目次情報領域から主情報に対応する目次情報を再生する目次情報再生手段と、
再生された前記目次情報から主情報を選択する主情報選択手段と、
選択された主情報が再生された日の日付情報を含む再生アクセス情報を前記情報記録媒体の前記再生アクセス情報領域から読み出す読み出し手段と、
読み出した結果既に再生アクセス情報が存在する場合には、前記再生アクセス情報に加えて、新たに選択された主情報が再生された日付情報を含む再生アクセス情報を追加記録する記録手段とを有することを特徴とする情報記録媒体記録再生装置。
（２）  主情報が記録される主情報領域と、主情報の再生に関する再生アクセス情報を記録する再生アクセス情報領域とを有する記録再生可能な情報記録媒体を記録再生する情報記録媒体記録再生方法において、
前記情報記録媒体の前記目次情報領域から主情報に対応する目次情報を再生するステップと、
再生された前記目次情報から主情報を選択するステップと、
選択された主情報が再生された日の日付情報を含む再生アクセス情報を前記情報記録媒体の前記再生アクセス情報領域から読み出すステップと、
読み出した結果既に再生アクセス情報が存在する場合には、前記再生アクセス情報に加えて、新たに選択された主情報が再生された日付情報を含む再生アクセス情報を追加記録するステップとを有することを特徴とする情報記録媒体記録再生方法。
（３）  前記再生アクセス情報を前記情報記録媒体の前記再生アクセス情報領域から読み出す再生アクセス情報読み出し手段と、
読み出した再生アクセス情報を表示する再生アクセス情報表示手段とを有することを特徴とする請求項１に記載の情報記録媒体記録再生装置。
（４）  前記再生アクセス情報を前記情報記録媒体の前記再生アクセス情報領域から読み出すステップと、
読み出した再生アクセス情報を表示するステップとを有することを特徴とする請求項２に記載の情報記録媒体記録再生方法。
【０００５】
【発明の実施の態様】
本発明によれば、ディスクの主情報に対するアクセス情報，例えばアクセスの日付，ページ数，料金などの情報がディスクに記録される。主情報の出力は、このアクセス情報の記録の後に行われる。アクセス情報は、ディスク管理の際に出力される。このアクセス情報を利用することで、例えば、ディスクのレンタルの場合に、ユーザのアクセス量に対応した料金請求が可能となる。電子図書などでは、貸出や返却の管理が可能となる。
【０００６】
以下、本発明の情報記録媒体記録再生装置の一実施例について、添付図面を参照しながら詳細に説明する。
＜実施例の構成＞図１には、本実施例のブロック構成が示されている。
【０００７】
▲１▼ユーザ使用装置の構成
同図において、ユーザが使用するディスク駆動装置１０は、ＭＤプレーヤとしての基本的な記録再生機能を備えている。詳述すると、ディスク１２に対する信号の記録，再生は、記録ヘッド１４（記録時のみ），光学ピックアップなどのトランスデューサ１６によって行われるようになっている。ディスク１２はスピンドルモータ１８によって回転駆動され、記録ヘッド１４，トランスデューサ１６は送りモータ２０によって送り駆動されるように構成されている。これらスピンドルモータ１８，送りモータ２０の駆動制御は、サーボ回路２２によって行われるようになっている。
【０００８】
次に、トランスデューサ１６はＲＦアンプ２４に接続されており、このＲＦアンプ２４の出力側はサーボ回路２２，アドレスデコーダ２６，エンコーダ／デコーダ２８にそれぞれ接続されている。エンコーダ／デコーダ２８は、ヘッド駆動回路３０，メモリコントローラ３２，システムコントローラ３４にそれぞれ接続されており、サーボ回路２２はシステムコントローラ３４に接続されている。また、ヘッド駆動回路３０の出力側は記録ヘッド１４に接続されている。
【０００９】
次に、メモリコントローラ３２は、システムコントローラ３４，ＲＡＭ３６，ディスプレイプロセッサ３８にそれぞれ接続されており、ディスプレイプロセッサ３８はディスプレイ装置４０に接続されている。システムコントローラ３４は、更にキー部４２に接続されており、バッファメモリ３４Ａ，アクセス情報処理部３４Ｂ，動作モード判定部３４Ｃが含まれている。更に、メモリコントローラ３２，ディスプレイプロセッサ３８，システムコントローラ３４は、ＳＣＳＩなどの適宜の規格のＩ／Ｆ（インターフェース）４４に接続されている。以上の各部で、ディスク駆動装置１０が構成されている。
【００１０】
▲２▼ディスク駆動装置の基本的動作
ここで、以上のディスク駆動装置１０の基本的な動作を説明する。まずディスク１２に対するデータの記録動作から説明すると、記録すべき情報（後述するアクセス情報）は、メモリコントローラ３２による制御に基づいて、エンコーダ／デコーダ２８でエンコードされ、ヘッド駆動回路３０を介して記録ヘッド１４に供給される。
【００１１】
他方、記録ヘッド１４，トランスデューサ１６→アドレスデコーダ２６→エンコーダ／デコーダ２８→システムコントローラ３４→サーボ回路２２→送りモータ２０→記録ヘッド１４，トランスデューサ１６のループで記録ヘッド１４，トランスデューサ１６が所定位置となるようにサーボ制御が行われる。また、このループによって得られた速度情報を利用して、エンコーダ／デコーダ２８→システムコントローラ３４→サーボ回路２２→スピンドルモータ１８の回路でＰＬＬによるＣＬＶ（線速度一定）のディスク１２の回転制御が行われる。そして、記録ヘッド１４，トランスデューサ１６がディスク１２上のトラックの所定位置となると、ディスク１２に対して記録ヘッド１４に供給された情報の光磁気記録が行われる。
【００１２】
次に、再生動作について説明すると、ディスク１２は上述したようにＣＬＶ（線速度一定）となるようにＰＬＬで回転駆動される。そして、トランスデューサ１６が送りモータ２０により所定のトラック位置となってユーザがキー部４２で指示した情報が読み出されると、その読み出されたＲＦ信号がＲＦアンプ２４で増幅されて出力される。そして、アドレスデコーダ２６，エンコーダ／デコーダ２８によってアドレス処理が行われるとともに、一方ではトランスデューサ１６のフォーカスとトラッキングの制御のためのエラー信号がサーボ回路２２に供給され、他方ではその信号のデコード，エラー訂正が行われる。
【００１３】
エラー訂正後のデジタルデータはメモリコントローラ３２に供給され、ここでタイミング制御されてディスプレイプロセッサ３８に供給される。ディスクプレイプロセッサ３８では入力データの表示処理が行われ、ディスプレイ装置４０に対応する表示が行われる。このようにして、所望の情報がディスク１２から読み出され、表示される。なお、音楽などが出力されたり、プリントアウトされることもある。
【００１４】
▲３▼ディスクの記録領域
図２には、本実施例にかかるディスク１２が示されている。まず同図（Ａ）において、ディスク１２の最内周はＴＯＣ（Ｔａｂｌｅ  ｏｆ  Ｃｏｎｔｅｎｔｓ）領域１２Ａとなっており、その外側には第１ＵＴＯＣ（Ｕｓｅｒ  Ｔａｂｌｅ  ｏｆ  Ｃｏｎｔｅｎｔｓ）領域１２Ｂ，第２ＵＴＯＣ領域１２Ｃがそれぞれ設けられている。そして、その外側にＲＯＭ領域１２Ｄがある。
【００１５】
これらのうち、ＴＯＣ領域１２Ａ（又は第１ＵＴＯＣ領域１２Ｂ）には、主情報の目次が格納されている。本実施例では、各目次に、主情報のタイプを示すフラグが付加されている。このフラグは、例えば主情報が小説などのように連続してアクセスした場合に意味があるものと、絵画や写真などのように１画面の表示でも意味があるものとを区別するためのもので、レンタル料金の計算に利用される。
【００１６】
次に、ＵＴＯＣ領域１２Ｂ，１２Ｃは、所望の情報を記録することができる領域であり、後述するアクセス情報は第２ＵＴＯＣ領域１２Ｃに記録されるようになっている。なお、第２ＵＴＯＣ領域１２Ｃは、ユーザに対して書込み，再生が禁止となっている。ＲＯＭ領域１２Ｄは、音楽，小説などの各種の主情報が格納される領域である。なお、ハイブリッドディスクでは、同図（Ｂ）に示すように、ＲＯＭ（プリマスタード）領域１２ＤとＲＡＭ（記録）領域１２Ｅが混在している。表１には、第１ＵＴＯＣ領域１２Ｂに記録される情報の一例が示されており、表２には、第２ＵＴＯＣ領域１２Ｃに記録される情報の一例が示されている。
【００１７】
【表１】
0003625208.tif 000002
【００１８】
【表２】
0003625208.tif 000003
【００１９】
▲４▼システムコントローラの主要構成
次に、図１に戻って、システムコントローラ３４のバッファメモリ３４Ａは、ディスク１２から読み出された情報を一時的に格納するためのメモリである。アクセス情報処理部３４Ｂは、ディスク１２の主情報にアクセスがあったときに、そのアクセス情報を後述するように処理するとともに、レンタル料金を計算するためのものである。動作モード判定部３４Ｃは、キー部４２やＩ／Ｆ４４からの入力信号をそれぞれ参照して動作モードを判定するためのものである。例えば、通常はユーザモードと判定し、予め設定したキー入力があったときはショップモードと判定する。
【００２０】
▲５▼ホスト側の構成
次に、ディスクのレンタルショップなどに設置されるホスト側の管理装置について説明する。この管理装置は、前記ディスク駆動装置１０とパーソナルコンピュータなどで構成されたホストコンピュータ５０とを組み合わせた構成となっており、上述したディスク駆動装置１０に設けられているＩ／Ｆ４４にホストコンピュータ５０を接続した構成となっている。なお、図１の全体を一体として構成してもよい。
【００２１】
ホストコンピュータ５０には、アクセス情報に対する顧客コードなど各種の情報の編集を行うアクセス情報編集部５０Ａ，各顧客のアクセス情報を蓄積するためのホストメモリ５０Ｂ，入力用のキー部５０Ｃがそれぞれ設けられている。
【００２２】
＜ユーザ使用時の動作＞
次に、ディスク駆動装置の動作について、図３のフローチャートを参照しながら説明する。ユーザは、ディスクをレンタルショップで借りてディスク駆動装置１０にセットする（ステップＳ１）。次に、駆動開始をキー部４２によって指示すると（ステップＳ２）、システムコントローラ３４の動作モード判定部３４Ｃによってユーザモードと判定され、以下のユーザモードの動作が行われる。
【００２３】
まず、上述したようにしてディスク１２がＣＬＶで回転するとともに、トランスデューサ１６が内周側に移動してＴＯＣ領域１２Ａ，第１ＵＴＯＣ領域１２Ｂ（図２参照）に移動する（ステップＳ３）。
【００２４】
ＴＯＣ領域１２Ａ，ＵＴＯＣ領域１２Ｂの各情報，特に目次情報は、一方においてアクセス情報処理部３４Ｂでそのタイプがチェックされる（ステップＳ３）。そして、目次内容はディスプレイ装置４０で表示される（ステップＳ４）。図４には、その表示の一例が示されている。これによれば、セットしたディスク１２には、団伊久磨著「パイプの煙」の第１巻から第３巻までと、ピカソの絵画，ベートーベンの楽譜その他の主情報が納められていることが分る。
【００２５】
次に、ユーザは、目次を参照しながらキー部４２を操作して所望の主情報を選択指示する（ステップＳ５）。すると、トランスデューサ１６が該当するアドレスに移動し（ステップＳ６）、ユーザによって選択された主情報がディスク１２から読み出されて、バッファメモリ３４Ａに格納される（ステップＳ７）。次に、トランスデューサ１６は、第２ＵＴＯＣ領域１２Ｃに移動し（ステップＳ８）、アクセス情報が記録されているときはそれを読み出してアクセス情報処理部３４Ｂに出力する（ステップＳ９）。
【００２６】
アクセス情報処理部３４Ｂでは、入力されたアクセス情報をチェックし、アクセスの日付，時間，回数，連続性，アクセスされたページ数の情報を更新処理するとともに、主情報のタイプからアクセス料金が計算される（ステップＳ１０）。これらのアクセス情報は、記録ヘッド１４，トランスデューサ１６によってディスク１２の第２ＵＴＯＣ領域１２Ｃに記録される（ステップＳ１１）。
【００２７】
具体的に説明すると、まず今回のアクセスがディスク１２をレンタルしてから最初のアクセスである場合は、ディスク１２の第２ＵＴＯＣ領域１２Ｃにはそのユーザのアクセス情報は存在しないので、今回のアクセス情報がそのまま第２ＵＴＯＣ領域１２Ｃに記録される（ステップＳ１１）。このとき、主情報の目次に対応してアクセス情報用の目次（ディレクトリ）を設定する。
【００２８】
レンタル後既にアクセスしている場合は、前回のアクセス情報が第２ＵＴＯＣ領域１２Ｃに記録されているので、これがアクセス情報処理部３４Ｂでチェックされる。例えば、前回のアクセスが、団伊久磨著「パイプの煙１」の第１ページから第４ページであり、今回第４ページから第１０ページにアクセスしたとする。アクセス情報処理部３４Ｂでは、前回のアクセスページと今回のアクセスページとから連続したアクセスであることが判別される。また、アクセスした重複しないページ数も判別される。
【００２９】
なお、このように連続性によって、小説，音楽，映画などをサンプル的に見たのか、ある長さで連続して見たのかを判断できる。また、連続性がないか少ない詩，絵画，百科辞典などは、過去のアクセス状況に関係なくそのまま今回のアクセス情報が利用される。
【００３０】
アクセス料金は、例えば次のように計算する。小説などの連続してアクセスして意味があるような主情報の場合は、連続してアクセスがあった場合は１ページ××円という具合で計算し、不連続の場合はサンプル的に見たものとして料金を掛けないようにする。絵画などは、１画面毎に意味があるから、連続，不連続にかかわらず１画面毎に加算する。
【００３１】
以上のようなアクセス情報の処理の後、バッファメモリ３４Ａに格納されている主情報がディスプレイ装置４０に出力されて表示される（ステップＳ１２）。ユーザは、この表示を見てもしその外部出力，例えばプリントアウトが必要と判断したときは、Ｉ／Ｆ４４にプリンタを接続するとともに、その旨のキー入力をキー部４２で行う（ステップＳ１３）。
【００３２】
すると、その旨がまずアクセス情報処理部３４Ｂに伝達され、トランスデューサ１６が移動して、「外部出力有り」のアクセス情報が第２ＵＴＯＣ領域１２Ｃの該当する部分に記録されるとともに外部出力の料金が計算されて記録される（ステップＳ１４，Ｓ１５）。その後、システムコントローラ３４によって、該当する主情報がＩ／Ｆ４４から外部に出力される（ステップＳ１６）。
【００３３】
図３には示していないが、キー操作によりページめくりが指示されたときは、そのアクセス情報について上述した処理が行われるとともに、該当するページが表示される。そして、他の主情報にアクセスする場合は、ユーザは目次表示指示を行う（ステップＳ１７）。すると、上述したステップＳ４以降の動作が繰り返される。また、表示を行わないときは、終了となる。
【００３４】
以上のように、ディスク駆動装置１０では、ユーザがアクセスしたディスク１２の主情報を一端バッファメモリ３４Ａに格納し、アクセス情報を処理してディスク１２の第２ＵＴＯＣ領域１２Ｃに書き込んだ後に、主情報が表示・出力される。ディスク駆動装置１０の電源が切られた場合には、アクセス情報をディスクに記録することは不可能であるから、主情報を表示・出力する前にアクセス情報の記録を少なくとも開始するようにする。これにより、アクセス情報が欠落してアクセスした主情報の料金が請求できなくなるという不都合が防止される。
【００３５】
＜レンタルショップ側の動作＞
次に、以上のようにしてユーザが使用したディスクがレンタルショップに返却された場合の管理装置側の動作について、図５のフローチャートを参照しながら説明する。まず、ディスク１２がディスク駆動装置１０にセットされる（ステップＳ２０）。レンタルショップ側はキー部４２又は４０Ｃによって駆動開始を指示するとともに（ステップＳ２１）、所定のキー操作を行う。すると、システムコントローラ３４の動作モード判定部３４Ｃによってショップモードと判定され、以下のショップモードの動作が行われる（ステップＳ２２）。なお、このキー操作が行われないときは、上述した図３のユーザモードの動作が行われる（ステップＳ２３）。
【００３６】
ショップモードと判定されると、システムコントローラ３４によって、今度はディスク１２のＴＯＣ領域１２Ａ，第１ＵＴＯＣ１２Ｂの他に第２ＵＴＯＣ領域１２Ｃにも順にトランスデューサ１６が移動し（ステップＳ２４）、記録内容がそれぞれ読み出されてバッファメモリ３４Ａに取り込まれる（ステップＳ２５）。また、これらの記録内容は、ディスプレイ装置４０に表示される（ステップＳ２６）。
【００３７】
図６には、その表示の一例が示されている。このように、ショップモードでは、ディスク１２の主情報の目次の他にアクセス情報も表示される。図示の例では、目次１の小説には、７月１８日に連続して２０ページのアクセスがあり、また外部出力もあって、アクセス料金が４０円となっている。その次は、目次４の絵画には、７月１２日に２ページの不連続のアクセスがあり、料金が１００円となっている。その次は、目次６の百科辞典には、７月１７日に不連続で重複したアクセスがあり、アクセス回数は４８，ページ数は３５となっている。そして、料金は４８円である。以下、同様である。
【００３８】
ホストコンピュータ５０では、アクセス情報編集部５０Ａによってアクセス料金を勘案したレンタル料金が計算されるとともに、必要があればユーザコードなどが編集される（ステップＳ２８）。すると、画面表示は図６（Ｂ）のようになる（ステップＳ２９）。この表示に基づいて、レンタルショップはユーザにレンタル料金を請求する。また、キー部５０Ｃの操作指示に応じて、編集されたアクセス情報を利用明細としてプリントアウトし、更には、以後のユーザ管理を行うためにホストメモリ５０Ｂに蓄積する。このホストメモリ５０Ｂの内容を統計処理することで、得意顧客，人気商品などを知ることができる。
【００３９】
その後、キー部４２又は５０Ｃによってアクセス情報の消去が指示されると（ステップＳ３０）、第２ＵＴＯＣ領域１２Ｃのアクセス情報が消去される（ステップＳ３１）。これによって、再びそのディスク１２がレンタル可能な状態となる。
【００４０】
＜実施例の効果＞
このように、本実施例によれば、従来のレンタルＣＤなどのように、１枚１日いくらという方法から、使用内容，使用頻度などの使用状況に対していくらとする料金請求が可能となり、リーズナブルなレンタルが可能となる。別言すれば、音楽や映画などの他に各種の多様な情報のレンタルが可能となる。特に、絵画，楽譜，写真など１つの画像が著作権に関係する場合、百科辞典などの大きなファイルなどの場合など、情報に応じた料金を決めることができる。また、アクセス情報を蓄積することで、利用状況の管理を簡便に行うことができる。
【００４１】
＜電子貸出図書としての利用＞
次に、本発明を図書館などにおける電子貸出に利用する実施例について、図７を参照しながら説明する。貸出すときは、図書館側のホスト装置６０の貸出処理部Ａによって、貸出日，貸出先，返却期限などの貸出情報が、貸出の対象となるディスクの第２ＵＴＯＣ領域又はホスト装置のホストメモリ６０Ｃに記録される。ユーザがディスクにアクセスすると、前記実施例と同様にしてアクセス情報が記録される。
【００４２】
ディスクが図書館に返却されると、ホスト装置６０の返却処理部６０Ｂによって返却日のチェックなどの返却処理が行われる。このような貸出，返却の情報をホストメモリ６０Ｃに蓄積して統計処理することで、電子図書の使用頻度，返却状況の把握などが行われる。
【００４３】
＜他の実施例＞
なお、本発明は、何ら上記実施例に限定されるものではなく、例えば次のようなものも含まれる。
（１）個人の読書記録としての使用も可能である。この場合は、ディスク１２の第２ＵＴＯＣ領域１２Ｃはユーザがアクセス可能となっている。ユーザが主情報にアクセスすると、上述したようにアクセス情報が第２ＵＴＯＣ領域１２Ｃに記録される。この例では、特にアクセスの日付やアクセスページなどが重要である。ユーザは、このアクセス情報を参照することで、読書記録とすることができる。
【００４４】
（２）前記実施例では、ディスク駆動装置側で料金の計算も行ったが、アクセス情報と料金計算の基本データ（例えば１ページいくらという金額）があれば料金は計算できるので、ホスト側で料金の計算を行うようにしてもよい。このようにすると、ユーザ側装置の計算機能を省略できる。また、ホスト側の計算処理を変更するだけで、単価や料金体系の変更に対応できる。更に、ディスクレンタル時に、所定の金額を支払うとともに、その金額をアクセス情報としてディスクに記録し、主情報に対するアクセス毎に料金を計算してその金額から減算するようにして、当初の支払金額に達した時点で主情報に対するアクセスを禁止するというようにしてもよい。
【００４５】
（３）また、料金の計算方法も、必要に応じて適宜設定してよい。例えば、表示出力の場合は１画面を単位とし、プリント出力の場合は１ページいくらという具合である。１画面よりも小さい単位あるいは大きい単位としてもよい。更に、レンタルした日数を考慮する，そのユーザの過去の利用状況による割引を行うなど、色々可能である。
【００４６】
（４）主情報としては、小説，映画，音楽，百科辞典，コンピュータソフト，ゲームなど、どのようなものでもよい。アクセス情報も、必要に応じて適宜設定してよい。
【００４７】
（５）前記実施例は、本発明を光磁気記録技術にかかるＭＤに適用したものであるが、記録可能な領域があるような媒体，例えばＣＤにＰＣ（Ｐｈａｓｅ  ｃｈａｎｇｅ）を用いて書込み可能としたものなど、各種のものに適用可能である。特に、前記実施例では、アクセス情報を記録する領域をＴＯＣ領域と異なる領域としたが、ＴＯＣ領域内にアクセス情報記録用の領域を設けてもよい。また、ホスト側のディスプレイ装置にアクセス情報を表示するなど、装置構成も種々設計変更が可能である。
【００４８】
【発明の効果】
以上説明したように、本発明によれば、取り出し可能な情報記録媒体に記録されている主情報の再生時に日付、時間、位置情報等を情報記録媒体の所定の領域に領域に記録するので、情報記録媒体を持ち運んで、再生した記録再生装置と異なる他の記録再生装置においても過去に再生した時の情報を知ることができ、この情報を基に読書履歴を作ったり、再生した部分に関する情報の課金等を簡単に行うことができ、また、特に記録再生装置から情報記録媒体を取り出し可能な構成としているので、複数の記録再生装置間でも再生時の情報の互換性を維持することができ、複数の携帯情報機器で用いることが可能で、レンタル等のお店と個人ユーザとの間で使用に適しているという利点を有している。
【図面の簡単な説明】
【図１】本発明による情報記録媒体記録再生装置の実施例を示すブロック図である。
【図２】前記実施例のディスクの記録領域を示す説明図である。
【図３】前記実施例のユーザ使用時の動作を示すフローチャートである。
【図４】前記実施例のユーザ使用時の目次表示の一例を示す説明図である。
【図５】前記実施例のレンタルショップ使用時の動作を示すフローチャートである。
【図６】前記実施例のレンタルショップ使用時の目次及びアクセス情報表示の一例を示す説明図である。
【図７】本発明の他の実施例の説明図である。
【符号の説明】
１０…ディスク駆動装置、
１２…ディスク、
１２Ａ…ＴＯＣ領域（目次記録領域）、
１２Ｂ…第１ＵＴＯＣ領域、
１２Ｃ…第２ＵＴＯＣ領域（アクセス情報記録領域）、
１２Ｄ…ＲＯＭ領域（主記録領域）、
１４…記録ヘッド、
１６…トランスデューサ（再生手段）、
３４…システムコントローラ、
３４Ａ…バッファメモリ（バッファ手段）、
３４Ｂ…アクセス情報処理部（アクセス情報処理手段）、
３４Ｃ…動作モード判定部、
３８…ディスプレイプロセッサ、
４０…ディスプレイ装置（出力手段）、
４２，５０Ｃ…キー部、
４４…Ｉ／Ｆ、
５０…ホストコンピュータ、
５０Ａ…アクセス情報編集部、
５０Ｂ，６０Ｃ…ホストメモリ、
６０…ホスト装置、
６０Ａ…貸出処理部、
６０Ｂ…返却処理部。
【図１】
0003625208.tif 000004
【図２】
0003625208.tif 000005
【図３】
0003625208.tif 000006
【図４】
0003625208.tif 000007
【図５】
0003625208.tif 000008
【図６】
0003625208.tif 000009
【図７】
0003625208.tif 000010